(57)【特許請求の範囲】
【請求項１】
多心光ファイバ（１３）を複数本の単心光ファイバ（１１）に分岐する光ファイバ接続器付きの多心単心変換用光ファイバであって、
複数本の単心光ファイバと、これら単心光ファイバの一端部を集合固定して、多心光ファイバを構成する光ファイバ（１４）と突き合わせ接続する光ファイバ接続器（１５）とを具備してなり、
前記光ファイバ接続器は、ベース（１６）と、該ベース上面（１７）上に装着されることにより単心光ファイバに突き合わせ接続した多心光ファイバをベースとの間にクランプして突き合わせ状態を保持する押さえ蓋（１８）と、前記ベースと前記押さえ蓋とを内装してベースと押さえ蓋とにクランプ力を付与するＣ型バネ（１９）と、ベースと押さえ蓋との間において単心光ファイバの一端部に露出された裸ファイバ（１２）を調心位置決めして固定し、ベースと押さえ蓋との間に挿抜される多心光ファイバの端部に露出させたおいた裸ファイバ（１４）と突き合わせ接続する調心機構として、前記ベース上面に並行に複数配列させて形成されたＶ溝（２１）とを具備し、
ベース上面の長手方向一端部には、光ファイバ接続器内に固定する単心光ファイバの被覆部分（２３）を並列に収納する単心線収納溝（２４）が形成され、ベース上面の長手方向他端部には、前記多心光ファイバである光ファイバテープの被覆部分（２５）を収納するテープ心線収納溝（２６）が形成され、
前記Ｃ型バネの側面に開口する開口部（３３）が、互いに重ね合わされたベースと押さえ蓋との境界に一致され、さらに前記開口部には、ベースと押さえ蓋との間に光ファイバをクランプするクランプ力を解除するための開口部材（３６）が外側から引き抜き可能に挿入される開口部材挿入口（３５）が、該開口部を拡張した形状に形成され、
前記開口部材挿入口に前記開口部材を挿入してＣ型バネによるクランプ力を解除した状態で、前記多心光ファイバを、前記光ファイバ接続器の、前記ベース上面の長手方向他端部が位置する側の端部から前記テープ心線収納溝に挿入してゆき、前記多心光ファイバの端部の裸ファイバを前記Ｖ溝に挿入することで、単心光ファイバの裸ファイバと突き合わせ接続できるようになっていることを特徴とする光ファイバ接続器付きの多心単心変換用光ファイバ（１０）。
【請求項２】
前記Ｖ溝の一端部は、他端部に対して放射状に分散されて、前記単心線収納溝から挿入された各単心光ファイバ心線の一端部に露出されている裸ファイバ（１２）を前記ベース上面の長手方向中央部に集合する集合溝（２２）とされていることを特徴とする請求項１記載の光ファイバ接続器付きの多心単心変換用光ファイバ。
【請求項３】
前記押さえ蓋は、ベース上面の一端部に装着される単心線クランプ板（２７）と、ベース上面の他端部に装着されるテープクランプ板（２８）の２部材から構成され、単心線クランプ板の前記ベースに形成されている単心線収納溝と対向する部分には単心線収納溝（２９）が形成され、テープクランプ板の前記ベースに形成されているテープ心線収納溝と対向する部分には光ファイバテープの被覆部分を収納するテープ心線収納溝（３０）が形成されていることを特徴とする請求項１又は２記載の光ファイバ接続器付きの多心単心変換用光ファイバ。
【請求項４】
単心線クランプ板の中央部には、ベースと単心線クランプ板との間に接着剤（３１）を注入するための接着剤注入孔（３２）が形成されていることを特徴とする請求項３記載の光ファイバ接続器付きの多心単心変換用光ファイバ。
【請求項５】
前記Ｃ型バネが、２箇所に形成されたスリット（３４）によって、長手方向に３分割され、前記光ファイバ接続器の多心光ファイバが挿入される側の端部である挿入端部側をクランプする領域（１９ｃ）と、光ファイバ接続器の中央部をクランプする領域（１９ｂ）と、前記光ファイバ接続器の前記挿入端部とは反対側をクランプする領域（１９ａ）とが、それぞれ単独で変形可能であることを特徴とする請求項３又は４記載の光ファイバ接続器付きの多心単心変換用光ファイバ。
【請求項６】
請求項１〜５のいずれかに記載の光ファイバ接続器付きの多心単心変換用光ファイバにおいて、多心光ファイバ側の光ファイバ心線の径が２５０μｍであり、単心光ファイバの径が２５０μｍ以上であることを特徴とする光ファイバ接続器付きの多心単心変換用光ファイバ。
【請求項７】
請求項１〜６のいずれかに記載の光ファイバ接続器付きの多心単心変換用光ファイバにおいて、多心光ファイバが複数本の光ファイバを同一平面上に配列してなり、光ファイバ接続器のベースと押さえ蓋との間に、複数本の単心光ファイバを同一平面上に配列して多心光ファイバの各光ファイバと突き合わせ接続可能に調心位置決めするＶ溝（２１）を具備し、該Ｖ溝で調心位置決めした各単心光ファイバの先端位置を揃えて固定したことを特徴とする光ファイバ接続器付きの多心単心変換用光ファイバ。
【請求項８】
前記Ｖ溝が、ベース上面の長手方向中央部に装着された調心ピースに形成されていることを特徴とする請求項１〜７のいずれかに記載の光ファイバ接続器付きの多心単心変換用光ファイバ。
【発明の詳細な説明】
【０００１】
【発明の属する技術分野】
本発明は、多心光ファイバを複数本の単心光ファイバに分岐する光ファイバ接続器付きの多心単心変換用光ファイバに関するものである。
【０００２】
【従来の技術】
従来、多心光ファイバを複数本の単心光ファイバに分岐する多心単心変換用光ファイバとしては、例えば図８に示すように、４心または８心の光ファイバテープ１の一端を光コネクタ２を取り付けて他の光ファイバテープ３と光接続可能に成端し、光ファイバテープ１の途中から単心光ファイバ心線５に切り裂いて補強した分岐部４を介して複数本の単心の光ファイバ心線５に単心分岐し、さらに、光ファイバ心線５の端末は、単心用の光コネクタ６を取り付けて他の光ファイバ心線と光接続可能に成端している。また、光ファイバ心線５は、光ファイバテープ１から分岐した線なので、光ファイバテープ１の被覆を除去すれば径が２５０μｍ以下になることが普通であるので、補強チューブに挿入して補強する。
【０００３】
【発明が解決しようとする課題】
ところで、架空クロージャの光ファイバ接続作業では、光ファイバケーブルからテープ心線を取り出し、このテープ心線を単心へ変換する作業が必要な場合が多く生じている。この場合には、予め工場内で製造した、両端にＭＴ（Mechaｍically  Traｍferable）コネクタ付きの多心単心変換用光ファイバを準備し、前記テープ心線の端部に多心単心変換用光ファイバの多心側のＭＴコネクタを現場接続する必要がある。多心単心変換用の光ファイバテープ１を接続切替可能に成端する場合にはＭＴコネクタを取り付ける必要があるが、ＭＴコネクタの接続端面は高い精度が要求され、研磨装置等の接続用の各種工具が必要であるため、現場での組み立ては作業工数が多く、作業が困難な場合もあった。
【０００４】
本発明は、前述の課題に鑑みてなされたもので、光ファイバケーブルから引き出された多心光ファイバへのＭＴコネクタの接続作業が無く、組み立てが容易で、しかも接続切替を簡便に行うことができ、現場の接続工事に際して汎用性が向上し、多心光ファイバとの接続が容易な光ファイバ接続器付きの多心単心変換用光ファイバを提供することを目的とするものである。
【０００５】
【課題を解決するための手段】
本発明では、以下の構成を前記課題の解決手段とした。
（請求項１）  多心光ファイバ（１３）を複数本の単心光ファイバ（１１）に分岐する光ファイバ接続器付きの多心単心変換用光ファイバであって、
複数本の単心光ファイバと、これら単心光ファイバの一端部を集合固定して、多心光ファイバを構成する光ファイバ（１４）と突き合わせ接続する光ファイバ接続器（１５）とを具備してなり、
前記光ファイバ接続器は、ベース（１６）と、該ベース上面（１７）上に装着されることにより単心光ファイバに突き合わせ接続した多心光ファイバをベースとの間にクランプして突き合わせ状態を保持する押さえ蓋（１８）と、前記ベースと前記押さえ蓋とを内装してベースと押さえ蓋とにクランプ力を付与するＣ型バネ（１９）と、ベースと押さえ蓋との間において単心光ファイバの一端部に露出された裸ファイバ（１２）を調心位置決めして固定し、ベースと押さえ蓋との間に挿抜される多心光ファイバの端部に露出させたおいた裸ファイバ（１４）と突き合わせ接続する調心機構として、前記ベース上面に並行に複数配列させて形成されたＶ溝（２１）とを具備し、
ベース上面の長手方向一端部には、光ファイバ接続器内に固定する単心光ファイバの被覆部分（２３）を並列に収納する単心線収納溝（２４）が形成され、ベース上面の長手方向他端部には、前記多心光ファイバである光ファイバテープの被覆部分（２５）を収納するテープ心線収納溝（２６）が形成され、
前記Ｃ型バネの側面に開口する開口部（３３）が、互いに重ね合わされたベースと押さえ蓋との境界に一致され、さらに前記開口部には、ベースと押さえ蓋との間に光ファイバをクランプするクランプ力を解除するための開口部材（３６）が外側から引き抜き可能に挿入される開口部材挿入口（３５）が、該開口部を拡張した形状に形成され、
前記開口部材挿入口に前記開口部材を挿入してＣ型バネによるクランプ力を解除した状態で、前記多心光ファイバを、前記光ファイバ接続器の、前記ベース上面の長手方向他端部が位置する側の端部から前記テープ心線収納溝に挿入してゆき、前記多心光ファイバの端部の裸ファイバを前記Ｖ溝に挿入することで、単心光ファイバの裸ファイバと突き合わせ接続できるようになっていることを特徴とする光ファイバ接続器付きの多心単心変換用光ファイバ（１０）。
（請求項２）  前記Ｖ溝の一端部は、他端部に対して放射状に分散されて、前記単心線収納溝から挿入された各単心光ファイバ心線の一端部に露出されている裸ファイバ（１２）を前記ベース上面の長手方向中央部に集合する集合溝（２２）とされていることを特徴とする請求項１記載の光ファイバ接続器付きの多心単心変換用光ファイバ。
（請求項３）  前記押さえ蓋は、ベース上面の一端部に装着される単心線クランプ板（２７）と、ベース上面の他端部に装着されるテープクランプ板（２８）の２部材から構成され、単心線クランプ板の前記ベースに形成されている単心線収納溝と対向する部分には単心線収納溝（２９）が形成され、テープクランプ板の前記ベースに形成されているテープ心線収納溝と対向する部分には光ファイバテープの被覆部分を収納するテープ心線収納溝（３０）が形成されていることを特徴とする請求項１又は２記載の光ファイバ接続器付きの多心単心変換用光ファイバ。
（請求項４）  単心線クランプ板の中央部には、ベースと単心線クランプ板との間に接着剤（３１）を注入するための接着剤注入孔（３２）が形成されていることを特徴とする請求項３記載の光ファイバ接続器付きの多心単心変換用光ファイバ。
（請求項５）  前記Ｃ型バネが、２箇所に形成されたスリット（３４）によって、長手方向に３分割され、前記光ファイバ接続器の多心光ファイバが挿入される側の端部である挿入端部側をクランプする領域（１９ｃ）と、光ファイバ接続器の中央部をクランプする領域（１９ｂ）と、前記光ファイバ接続器の前記挿入端部とは反対側をクランプする領域（１９ａ）とが、それぞれ単独で変形可能であることを特徴とする請求項３又は４記載の光ファイバ接続器付きの多心単心変換用光ファイバ。
（請求項６）  請求項１〜５のいずれかに記載の光ファイバ接続器付きの多心単心変換用光ファイバにおいて、多心光ファイバ側の光ファイバ心線の径が２５０μｍであり、単心光ファイバの径が２５０μｍ以上であることを特徴とする光ファイバ接続器付きの多心単心変換用光ファイバ。
（請求項７）  請求項１〜６のいずれかに記載の光ファイバ接続器付きの多心単心変換用光ファイバにおいて、多心光ファイバが複数本の光ファイバを同一平面上に配列してなり、光ファイバ接続器のベースと押さえ蓋との間に、複数本の単心光ファイバを同一平面上に配列して多心光ファイバの各光ファイバと突き合わせ接続可能に調心位置決めするＶ溝（２１）を具備し、該Ｖ溝で調心位置決めした各単心光ファイバの先端位置を揃えて固定したことを特徴とする光ファイバ接続器付きの多心単心変換用光ファイバ。
（請求項８）  前記Ｖ溝が、ベース上面の長手方向中央部に装着された調心ピースに形成されていることを特徴とする請求項１〜７のいずれかに記載の光ファイバ接続器付きの多心単心変換用光ファイバ。
【０００８】
【発明の実施の形態】
以下本発明の光ファイバ接続器付きの多心単心変換用光ファイバの実施の形態を図１から図７を参照して説明する。
図中符号１０は、本実施の形態の光ファイバ接続器付きの多心単心変換用光ファイバ（以下、多心単心変換用光ファイバ）である。多心単心変換用光ファイバ１０は、図１から図３に示すように、４本の単心光ファイバ心線１１（単心光ファイバ）と、これら単心光ファイバ心線１１の一端部から導出した裸ファイバ１２を集合固定して、多心光ファイバとしての４心光ファイバテープ１３から導出した裸ファイバ１４（光ファイバ）と突き合わせ接続する光ファイバ接続器１５とを具備している。
【０００９】
前記光ファイバ接続器１５は、ベース１６と、該ベース１６の上面１７（図３参照）上に装着されることにより、突き合わせ接続した単心光ファイバ心線１１と光ファイバテープ１３とをベース１６との間にクランプして突き合わせ状態を保持する押さえ蓋１８と、ベース１６と押さえ蓋１８とにクランプ力を付与するクランプ手段としてのＣ型バネ１９とを備えている。
【００１０】
ベース１６と押さえ蓋１８とは、互いに重ね合わせることにより二つ割り円柱体を構成する、ともに断面半円形のロッド状の部材である。
図３および図４に示すように、ベース上面１７の長手方向（図３、図４左右方向）中央部には、単心光ファイバ心線１１と光ファイバテープ１３の双方の裸ファイバ１２、１４同士を位置決め調心して突き合わせ接続するための調心ピース２０が装着されている。調心ピース２０の上面上には、ベース上面１７の長手方向に沿って貫通するＶ溝２１が４本並列に形成されている。これらＶ溝２１は、ベース１６と押さえ蓋１８との間において光ファイバテープ１３を単心光ファイバ心線１１に対して突き合わせ接続可能に調心位置決めする調心機構として機能するものである。
Ｖ溝２１の一端部（図３、図４左側）は、他端部に対して放射状に分散されて、開口端部から挿入された各単心光ファイバ心線１１の裸ファイバ１２を調心ピース２０の中央部に集合する集合溝２２とされている。
【００１１】
ベース上面１７の長手方向一端部（図３、図４左側）には、光ファイバ接続器１５内に固定する単心光ファイバ心線１１の被覆部分２３を並列に収納する単心線収納溝２４が形成されている。ベース上面１７の長手方向他端部には、光ファイバテープ１３の被覆部分２５を収納するテープ心線収納溝２６が形成されている。
単心線収納溝２４と調心ピース２０との間のベース上面１７には、単心線収納溝２４に収納した単心光ファイバ心線１１の裸ファイバ１２を集合溝２２を介してＶ溝２１の他端部側に導く導入溝１７ａが形成されている。テープ心線収納溝２６と調心ピース２０との間のベース上面１７には、テープ心線収納溝２６に収納した光ファイバテープ１３の裸ファイバ１４をＶ溝２１に導く導入溝１７ｂが形成されている。導入溝１７ｂには、光ファイバテープ１３の端末から導出した図示しない心線部が収納されるようになっている。裸ファイバ１４は、前記心線部の先端の被覆を除去した部分である。また、各心線部の径は、２５０μｍに揃えられている。
【００１２】
押さえ蓋１８は、図３に示すように、ベース上面１７の一端部に装着される単心線クランプ板２７と、ベース上面１７の他端部に装着されるテープクランプ板２８の２部材から構成されている。単心線クランプ板２７およびテープクランプ板２８の、単心線収納溝２４またはテープ心線収納溝２６と対向する部分には、単心光ファイバ心線１１や光ファイバテープ１３の被覆部分２３、２５を収納、クランプするための単心線収納溝２９またはテープ心線収納溝３０が形成されている。
単心線クランプ板２７の中央部には、ベース１６と単心線クランプ板２７との間に接着剤３１（図４参照）を注入するための接着剤注入孔３２が形成されている。
単心線クランプ板２７およびテープクランプ板２８の、単心線収納溝２９やテープ心線収納溝３０、接着剤注入孔３２以外の部分は、Ｖ溝２１や導入溝１７ａ、１７ｂに配置した裸ファイバ１２、１４をこれらＶ溝２１や導入溝１７ａ、１７ｂの深部に向けて押圧する押圧面を形成している。
【００１３】
Ｃ型バネ１９は、図１に示すように、互いに重ね合わせたベース１６と押さえ蓋１８の外側に装着されて、これらベース１６および押さえ蓋１８を互いに圧接する方向に締め付けて一体化状態を保持するようになっている。また、Ｃ型バネ１９の側面に開口する開口部３３は、互いに重ね合わされたベース１６と押さえ蓋１８との境界に一致されている。開口部３３の長手方向二カ所には、Ｃ型バネ１９の周方向に沿って延在するスリット３４が形成されている。これらスリット３４は、Ｃ型バネ１９の直径方向で開口部３３と反対側に位置する図示しない連結部のみを残してＣ型バネ１９の周方向のほぼ全周にわたって開口され、Ｃ型バネ１９をその長手方向に三分割して、それぞれ単独で変形可能な３つの領域１９ａ、１９ｂ、１９ｃに画成している。
【００１４】
開口部３３の長手方向４箇所には、開口部３３を拡張した開口部材挿入口３５が形成されている。各開口部材挿入口３５は、図５に示すように、外側から開口部材３６を挿入して、ベース１６と押さえ蓋１８との間に作用する光ファイバ１１、１３のクランプ力を解除するためのものである。開口部材挿入口３５は、Ｃ型バネ１９のスリット３４で画成された第１から第３の三つの領域１９ａ、１９ｂ、１９ｃに分散配置され、長手方向両端部に位置する第１、第３の領域１９ａ、１９ｃにそれぞれ１カ所、中央部に位置するの第２の領域１９ｂに２カ所形成されている。
【００１５】
Ｃ型バネ１９は、ベリリウム銅等の材料で形成されている。ベリリウム銅の場合、目的形状に成形後時効硬化処理を行ったものや、熱処理後フッ素樹脂等でコーティングしたもの等であってもよい。
Ｃ型バネ１９の、内装したベース１６および押さえ蓋１８を互いに圧接する方向に押圧する押圧力は、Ｃ型バネ１９の材質および形状によって設定される。
すなわち、例えば、図６に示すように、概略Ｕ字状の薄板バネＳの場合、両端間に作用する荷重をＰ、湾曲半径をＲ、バネの板厚をｔ、バネの長さをｂとすると、両端間のたわみδは数式（１）によって示される。
【００１６】
【数１】
0003710538.tif 000002
【００１７】
ここで、λ1＝Ｌ1／Ｒ、λ2＝Ｌ2／Ｒである。
また、前記薄板バネＳの曲げ応力σは、数式（２）によって示される。
【００１８】
【数２】
0003710538.tif 000003
【００１９】
薄板バネＳを図７に示すＣ型バネ１９に適用すると、Ｌ1＝０、Ｌ2＝０であり、Ｃ型バネ１９のたわみδ、曲げ応力σは、それぞれ数式（３）、数式（４）によって示される。
【００２０】
【数３】
0003710538.tif 000004
【００２１】
【数４】
0003710538.tif 000005
【００２２】
ここで、Ｃ型バネ１９の材質として、例えばＪＩＳ  Ｃ１７２０Ｈ／２のバネ材を用いた場合、耐力（最大曲げ応力）σ≧９０ｋｇ／ｍｍ2、曲げ弾性係数Ｅ＝１２００ｋｇ／ｍｍ2である。また、Ｃ型バネ１９の寸法を、内径ｄ＝４．５ｍｍ、板厚ｔ＝０．２３ｍｍ、軸方向長さｂ＝９ｍｍとした場合、Ｃ型バネ１９の直径方向に作用する荷重がＰ＝３．０２ｋｇ（但し、最大値＠ｂ＝９ｍｍ）、たわみがδ＝０．５７３ｍｍ（最大値）となる。
【００２３】
各単心光ファイバ心線１１は、ナイロン等で樹脂被覆されることにより２５０μｍ以上（好ましくは０．６ｍｍ）の径寸法に形成され、コード補強が不要な強度を有している。これら単心光ファイバ心線１１の裸ファイバ１２は、図３および図４に示すように、Ｖ溝２１の長手方向中央部まで挿入して位置決め調心した状態で、ベース１６および単心線クランプ板２７とに接着剤３１で一体的に接着されている。また、各単心光ファイバ心線１１は、単心線収納溝２４、２９の内部に設置した図示しない位置決め手段によって、裸ファイバ１２の先端位置がベース上面１７の長手方向で揃えられている。
接着剤３１は、裸ファイバ１２の先端には付着されない。また、接着剤３１の接着力は、主にベース１６と単心線クランプ板２７と単心光ファイバ心線１１の被覆部分２３との間に作用する引張力等に対する支持力として作用する。
ここで、Ｖ溝２１は、単心光ファイバ心線１１を同一平面上に配列して光ファイバテープ１３の各裸ファイバ１４とそれぞれ突き合わせ接続可能に調心位置決めする配列調心機構として機能する。
【００２４】
光ファイバテープ１３は、４本の裸ファイバ１４を一定ピッチで並列して被覆材で固定したテープ心線である。光ファイバテープ１３は、単心光ファイバ心線１１と突き合わせ接続する端部の被覆部分２５を除去して露出させた裸ファイバ１４をＶ溝２１に挿入し、該Ｖ溝２１の中央部においてそれぞれの裸ファイバ１４を各単心光ファイバ心線１１の裸ファイバ１２の先端に突き合わせるようになっている。
なお、各単心光ファイバ心線１１の裸ファイバ１２は、Ｖ溝２１によって、光ファイバテープ１３における裸ファイバ１４の並列ピッチと等しいピッチで配列される。
【００２５】
以下、本発明の多心単心変換用光ファイバ１０の作用および効果を説明する。
多心単心変換用光ファイバ１０は、光ファイバ接続器１５の挿入端部（図１から図３中右側）から光ファイバテープ１３をテープ心線収納溝２６、３０に挿入するだけで、複数本の単心光ファイバ心線１１に変換することができるようになっている。
【００２６】
すなわち、テープ心線収納溝２６、３０に挿入した光ファイバテープ１３は、予め端部に露出させておいた裸ファイバ１４が導入溝１７ｂを介してＶ溝２１に導かれて、調心ピース２０の中央部においてそれぞれ単心光ファイバ心線１１の裸ファイバ１２と突き合わせ接続される。この時、光ファイバテープ１３の裸ファイバ１４は、互いの先端位置を揃えておく。こうすることにより、光ファイバテープ１３をテープ心線収納溝２６、３０からその奥側に押し込むだけで、すべての裸ファイバ１４が単心光ファイバ心線１１の裸ファイバ１２と同時に突き合わされ、しかも、突き合わせ時に裸ファイバ１４間での突き合わせ力のばらつきを防止することができる。
光ファイバテープ１３の被覆部分２５は、テープ心線収納溝２６、３０内に収納されて、ベース１６と押さえ蓋１８との間にクランプされた時に、光ファイバテープ１３に作用する引張力等に対する十分な引き留め力を発揮するようになっている。
【００２７】
光ファイバテープ１３のテープ心線収納溝２６、３０への挿入時には、図５に示すように、挿入端部側にある第３の領域１９ｃと、第２の領域１９ｂの第３の領域１９ｃ側とにある開口部材挿入口３５に開口部材３６を挿入してＣ型バネ１９によるクランプ力を予め解除しておく。この時、ベース１６とテープクランプ板２８との間のクランプ力が解除されてテープ心線収納溝２６、３０への光ファイバテープ１３の挿入が可能となるが、ベース１６と単心線クランプ板２７との間は接着剤３１によって固定状態が維持される。
【００２８】
光ファイバテープ１３と単心光ファイバ心線１１との突き合わせ接続が完了したら、開口部材３６を引き抜く。こうすることにより、Ｃ型バネ１９によるクランプ力が付与されて、ベース１６とテープクランプ板２８との間に光ファイバテープ１３がクランプされる。この時、単心光ファイバ心線１１と光ファイバテープ１３の双方の裸ファイバ１２、１４の突き合わせ部分もベース１６とテープクランプ板２８とによってクランプされるので、突き合わせ状態が安定に保持される。
また、Ｃ型バネ１９のクランプ力を再度解除することにより、クランプした光ファイバテープ１３が光ファイバ接続器１５から引き抜き可能になるので、接続切替を簡便に行うことができる。
【００２９】
多心単心変換用光ファイバ１０を組み立てるには、先端に露出させておいた裸ファイバ１２をＶ溝２１に位置決めして各単心光ファイバ心線１１をベース１６と押さえ蓋１８との間に挟み込み、接着剤注入孔３２を介して接着剤３１を注入した後、一体化したベース１６および押さえ蓋１８をＣ型バネ１９に内挿して接着剤３１を固化させるだけでよい。
そして、予め組み立てておいた多心単心変換用光ファイバ１０を現場に搬入して、テープ心線収納溝２６、３０から光ファイバテープ１３の裸ファイバ１４を露出させた端部を光ファイバ接続器１５内に挿入するだけで、光ファイバテープ１３と単心光ファイバ心線１１とを一括して光接続することができる。したがって、多心単心変換用光ファイバ１０は、現場において容易かつ高精度に光ファイバテープ１３と単心光ファイバ心線１１とを光接続することができる。
【００３０】
なお、光ファイバ接続器１５のクランプ力が十分であれば、単心光ファイバ心線１１の接着固定を省略することもできる。また、単心光ファイバ心線１１の図示しない反対側の端部（光ファイバ接続器１５から放射状に延びる端部）は、単心用ＭＴコネクタで他の単心光ファイバと接続可能に成端してもよい。
【００３１】
したがって、本発明の多心単心変換用光ファイバ１０によれば、屋外でも組み立てや、単心光ファイバ心線１１と光ファイバテープ１３との光接続作業を容易に行うことができ、しかも、光ファイバ接続器１５に光ファイバテープ１３を挿入するだけで光ファイバテープ１３を単心光ファイバ心線１１と簡単に接続することができるので、作業現場での光ファイバテープ１３の単心変換を簡便に行うことができる。その結果、例えば、架空光ファイバケーブルのクロージャ等での高所作業においても、高い作業能率を確保することができる。また、突き合わせ接続した光ファイバテープ１３と単心光ファイバ心線１１とを光ファイバ接続器１５でクランプする構造なので、従来のＭＴコネクタで成端する場合に比べて部品点数が少なくて済み、組み立ての工数を少なくでき、しかも裸ファイバ１２、１４の調心精度が簡単に得られるとともに、コストを低減することができる。
【００３２】
さらに、前記多心単心変換用光ファイバ１０では、並行に複数配列されたＶ溝２１を利用して複数本の光ファイバ心線１１の裸ファイバ１２を先端位置を揃えて固定したので、光ファイバテープ１３をＶ溝２１に押し込むだけで光ファイバテープ１３の全ての裸ファイバ１４を一括して単心光ファイバ心線１１の裸ファイバ１２と光接続でき、光ファイバテープ１３の単心変換の作業性が向上する。
【００３３】
本発明では、光ファイバ接続器１５に複数本の単心光ファイバ心線１１を固定するようにしたので、従来の光ファイバテープから分岐した光ファイバ心線に比して太径の光ファイバ心線を使用することが可能となり、２５０μｍ以上の径の単心光ファイバ心線１１を使用することによりコード化を不要としたので、多心単心変換用光ファイバ１０の組み立て工数を一層減少することができる。
また、単心光ファイバ心線１１は、径が２５０μｍの場合には、光ファイバテープ１３から導出した心線部と径寸法が等しいので、Ｖ溝２１等の形成精度を緩和することができ、ベース１６や調心ピース２０の形成が容易になる。
【００３４】
なお、多心光ファイバとしては、光ファイバテープ以外であってもよい。
調心機構としては、マイクロキャピラリーが設置されたＶ溝またはＶ溝以外の位置決め溝や、精密ロッド、精密ボールを用いた調心構造の適用も可能である。また、調心機構と配列調心機構とは、光ファイバ接続器内で多心光ファイバと単心光ファイバとを突き合わせ接続可能であれば、互いに分離して設置してもよい。
【００３５】
【発明の効果】
以上説明したように、本発明の光ファイバ接続器付きの多心単心変換用光ファイバによれば、ベースと押さえ蓋との間に単心光ファイバを調心位置決めして集合固定するだけで光ファイバ接続器を容易に組み立てることができ、しかも、光ファイバ接続器に多心光ファイバを挿入するだけで多心光ファイバと単心光ファイバとを簡単に接続することができるので、多心光ファイバの単心変換を場所を問わず簡便に行うことができる。また、突き合わせ接続した多心光ファイバと単心光ファイバとを光ファイバ接続器でクランプする構造なので、部品点数が少なくて済み、組み立ての工数を少なくできるとともに、コストを低減することができるといった優れた効果を奏する。
【００３６】
請求項６記載の光ファイバ接続器付きの多心単心変換用光ファイバによれば、多心光ファイバ側の光ファイバ心線の径が２５０μｍであり、単心光ファイバの径を２５０μｍ以上にしたので、コード化が不要となり、光ファイバ接続器付きの多心単心変換用光ファイバの組み立ての作業能率が向上する。
【００３７】
請求項７の光ファイバ接続器付きの多心単心変換用光ファイバでは、多心光ファイバが複数本の光ファイバを同一平面上に配列してなり、光ファイバ接続器のベースと押さえ蓋との間に、複数本の単心光ファイバを同一平面上に配列して多心光ファイバの各光ファイバと突き合わせ接続可能に調心位置決めする配列調心機構を具備し、該配列調心機構で調心位置決めした各単心光ファイバの先端位置を揃えて固定したことにより、各単心光ファイバと多心光ファイバの光ファイバとを一括して光接続でき、多心光ファイバの単心変換の作業性が向上するといった優れた効果を奏する。
【図面の簡単な説明】
【図１】  本発明の光ファイバ接続器付きの多心単心変換用光ファイバの実施の形態を示す斜視図である。
【図２】  本発明の光ファイバ接続器付きの多心単心変換用光ファイバの実施の形態の作用を示す全体略図である。
【図３】  本発明の光ファイバ接続器付きの多心単心変換用光ファイバの実施の形態を示す正断面図である。
【図４】  本発明の光ファイバ接続器付きの多心単心変換用光ファイバの実施の形態を示す図であって、ベースを示す平面図である。
【図５】  本発明の光ファイバ接続器付きの多心単心変換用光ファイバの実施の形態の作用を示す斜視図である。
【図６】  薄板バネにおける荷重に対するたわみおよび曲げ応力を示すモデル図である。
【図７】  本発明の光ファイバ接続器の実施の形態を示す図であって、Ｃ型バネにおける荷重に対するたわみおよび曲げ応力を示すモデル図である。
【図８】  従来例の光ファイバ接続器付きの多心単心変換用光ファイバを示す全体略図である。
【符号の説明】
１０…光ファイバ接続器付きの多心単心変換用光ファイバ、１１…単心光ファイバ、１３…多心光ファイバ（光ファイバテープ）、１４…光ファイバ、１５…光ファイバ接続器、１６…ベース、１７…ベース上面、１８…押さえ蓋、１９…クランプ手段、２１…調心機構（配列調心機構）。
【図１】
0003710538.tif 000006
【図２】
0003710538.tif 000007
【図３】
0003710538.tif 000008
【図４】
0003710538.tif 000009
【図５】
0003710538.tif 000010
【図６】
0003710538.tif 000011
【図７】
0003710538.tif 000012
【図８】
0003710538.tif 000013